(57)【要約】      （修正有）【課題】泡を噴出する泡噴出ヘッド装置を提供する。【解決手段】押圧ヘッド１、網孔部材３、エアバルブ４、第１のピストン５、メインコラム７、接続ロッド６、第２のピストン１０、シリンダ１２、弾性体８及びバルブ部材１１を備える。押圧ヘッド１は、泡を噴出する噴出口１０１を有する。網孔部材３は、押圧ヘッド１内に嵌合されるとともに、中空管３３、第１のフィルタ３１及び第２のフィルタ３２を有する。エアバルブ４は、一端に外吸気溝４０１及び排気チャネルが形成され、他端に網孔部材３及び押圧ヘッド１がそれぞれ結合される。第１のピストン５は、中空リング体であり、エアバルブ４に結合されるとともに、密封バルブ５０１、空気孔５０２及び環状壁５０３を有する。環状壁５０３は、外吸気溝４０１を自在に開閉する。メインコラム７は、中空管状を呈して内吸気溝及び傾斜壁７０２を有する。【選択図】図３
0003188669.tif 000002
【実用新案登録請求の範囲】
【請求項１】
押圧ヘッド、網孔部材、エアバルブ、第１のピストン、メインコラム、接続ロッド、第２のピストン、シリンダ、弾性体及びバルブ部材を備えた泡噴出ヘッド装置であって、
前記押圧ヘッドは、泡を噴出する噴出口を有し、
前記網孔部材は、前記押圧ヘッド内に嵌合されるとともに、中空管、第１のフィルタ及び第２のフィルタを有し、
前記エアバルブは、一端に外吸気溝及び排気チャネルが形成され、他端に前記網孔部材及び前記押圧ヘッドがそれぞれ結合され、
前記第１のピストンは、中空リング体であり、前記エアバルブに結合されるとともに、密封バルブ、空気孔及び環状壁を有し、前記環状壁は、外吸気溝を自在に開閉し、
前記メインコラムは、中空管状を呈して内吸気溝及び傾斜壁を有し、前記密封バルブは、内吸気溝に当接されて前記内吸気溝を自在に開閉し、前記メインコラムの一端は、前記エアバルブの外縁と弾性的に結合され、
前記接続ロッドは、前記メインコラム内に挿設されるとともに、錐体、杆部及び先端部を含み、前記錐体の外縁と前記傾斜壁の内壁とにより噴出チャネルが形成され、前記錐体内には、気液体混合室が形成され、
前記第２のピストンは、中空リング体であり、前記接続ロッド及び前記メインコラムの一端に結合され、
前記シリンダは、結合蓋と結合され、気室及び液室を有し、前記気室と前記液室との間には、位置決め環が設けられ、前記気室及び前記液室には、密閉されたチャンバがそれぞれ形成され、前記第１のピストンは、前記気室との間で往復運動を行い、前記第２のピストンは、前記液室との間で往復運動を行い、
前記弾性体は、前記メインコラムの外縁に嵌合されるとともに、一端が前記位置決め環に当接され、
前記バルブ部材は、前記シリンダの連通口に取り付けられることを特徴とする泡噴出ヘッド装置。
【請求項２】
前記バルブ部材は、上方へ移動して前記連通口を開いたり下方へ移動して前記連通口を閉じたりする鋼球であることを特徴とする請求項１に記載の泡噴出ヘッド装置。
【請求項３】
前記シリンダの前記連通口には、吸入管が接続されることを特徴とする請求項１に記載の泡噴出ヘッド装置。
【請求項４】
前記網孔部材の前記第１のフィルタの孔径は、前記第２のフィルタの孔径より大きいか等しいサイズを有することを特徴とする請求項１に記載の泡噴出ヘッド装置。
【請求項５】
前記第１のフィルタ又は前記第２のフィルタは、射出成形により製作されることを特徴とする請求項４に記載の泡噴出ヘッド装置。
【請求項６】
前記第１のフィルタ及び／又は前記第２のフィルタの網孔は多角形状であることを特徴とする請求項４に記載の泡噴出ヘッド装置。
【請求項７】
前記結合蓋は、瓶口と螺合されるネジ山が内縁に形成され、パッキンを介して前記瓶口と気密状態になることを特徴とする請求項１に記載の泡噴出ヘッド装置。
【請求項８】
前記押圧ヘッドは、第１の下位置及び第２の下位置を含むことを特徴とする請求項１に記載の泡噴出ヘッド装置。
【請求項９】
前記液室は、前記バルブ部材が収容される汲み取りチャネルを有することを特徴とする請求項１に記載の泡噴出ヘッド装置。
【請求項１０】
前記接続ロッドと前記メインコラムとの間には、第１の間隙が形成されていることを特徴とする請求項１に記載の泡噴出ヘッド装置。
【請求項１１】
前記接続ロッドと前記第２のピストンとの間には、第２の間隙が形成されていることを特徴とする請求項１０に記載の泡噴出ヘッド装置。
【請求項１２】
前記接続ロッドの先端部は、前記第２のピストンの一端に突設されるとともに当接環部を有し、
前記当接環部は、前記第２のピストンのストップ縁に弾性的に当接されることを特徴とする請求項１に記載の泡噴出ヘッド装置。
【請求項１３】
前記当接環部と前記ストップ縁との間には、供給チャネルが形成されることを特徴とする請求項１２に記載の泡噴出ヘッド装置。
【考案の詳細な説明】
【技術分野】
【０００１】
本考案は、泡噴出ヘッド装置であって、特に、泡を噴出する泡噴出ヘッド装置に関する。
【背景技術】
【０００２】
従来良く見かける洗浄用液体洗浄剤容器は、上部に弾性押圧の手押しポンプを有する。食器を洗浄したり頭を洗ったりする際、手押しポンプにより洗浄剤、シャンプーなどの内容液を汲み取り、ユーザが手で揉んで泡を発生させる。しかし、一般に洗浄剤又はシャンプーの容量を制御することは困難であった。特に洗浄剤の使用量が多い場合、水で濯いだ後でも食器に残って人体に害を与える虞がある。またシャンプーの場合、頭皮に残って頭皮に害を与える虞がある。
【０００３】
そのため、泡を発生させる液気体汲み取り装置により、適宜処理して泡を発生させ、ユーザが容易に使用できる泡噴出ヘッド装置が求められていた。
【考案の概要】
【考案が解決しようとする課題】
【０００４】
本考案の目的は、泡を噴出する泡噴出ヘッド装置を提供することにある。
【課題を解決するための手段】
【０００５】
上記課題を解決するために、本考案の第１の形態によれば、押圧ヘッド、網孔部材、エアバルブ、第１のピストン、メインコラム、接続ロッド、第２のピストン、シリンダ、弾性体及びバルブ部材を備えた泡噴出ヘッド装置であって、前記押圧ヘッドは、泡を噴出する噴出口を有し、前記網孔部材は、前記押圧ヘッド内に嵌合されるとともに、中空管、第１のフィルタ及び第２のフィルタを有し、前記エアバルブは、一端に外吸気溝及び排気チャネルが形成され、他端に前記網孔部材及び前記押圧ヘッドがそれぞれ結合され、前記第１のピストンは、中空リング体であり、前記エアバルブに結合されるとともに、密封バルブ、空気孔及び環状壁を有し、前記環状壁は、外吸気溝を自在に開閉し、前記メインコラムは、中空管状を呈して内吸気溝及び傾斜壁を有し、前記密封バルブは、内吸気溝に当接されて前記内吸気溝を自在に開閉し、前記メインコラムの一端は、前記エアバルブの外縁と弾性的に結合され、前記接続ロッドは、前記メインコラム内に挿設されるとともに、錐体、杆部及び先端部を含み、前記錐体の外縁と前記傾斜壁の内壁とにより噴出チャネルが形成され、前記錐体内には、気液体混合室が形成され、前記第２のピストンは、中空リング体であり、前記接続ロッド及び前記メインコラムの一端に結合され、前記シリンダは、結合蓋と結合され、気室及び液室を有し、前記気室と前記液室との間には、位置決め環が設けられ、前記気室及び前記液室には、密閉されたチャンバがそれぞれ形成され、前記第１のピストンは、前記気室との間で往復運動を行い、前記第２のピストンは、前記液室との間で往復運動を行い、前記弾性体は、前記メインコラムの外縁に嵌合されるとともに、一端が前記位置決め環に当接され、前記バルブ部材は、前記シリンダの連通口に取り付けられることを特徴とする泡噴出ヘッド装置が提供される。
【０００６】
前記バルブ部材は、上方へ移動して前記連通口を開いたり下方へ移動して前記連通口を閉じたりする鋼球であることが好ましい。
【０００７】
前記シリンダの前記連通口には、吸入管が接続されることが好ましい。
【０００８】
前記網孔部材の前記第１のフィルタの孔径は、前記第２のフィルタの孔径より大きいか等しいサイズを有することが好ましい。
【０００９】
前記第１のフィルタ又は前記第２のフィルタは、射出成形により製作されることが好ましい。
【００１０】
前記第１のフィルタ及び／又は前記第２のフィルタの網孔は多角形状であることが好ましい。
【００１１】
前記結合蓋は、瓶口と螺合されるネジ山が内縁に形成され、パッキンを介して前記瓶口と気密状態になることが好ましい。
【００１２】
前記押圧ヘッドは、第１の下位置及び第２の下位置を含むことが好ましい。
【００１３】
前記液室は、前記バルブ部材が収容される汲み取りチャネルを有することが好ましい。
【００１４】
前記接続ロッドと前記メインコラムとの間には、第１の間隙が形成されていることが好ましい。
【００１５】
前記接続ロッドと前記第２のピストンとの間には、第２の間隙が形成されていることが好ましい。
【００１６】
前記接続ロッドの先端部は、前記第２のピストンの一端に突設されるとともに当接環部を有し、前記当接環部は、前記第２のピストンのストップ縁に弾性的に当接されることが好ましい。
【００１７】
前記当接環部と前記ストップ縁との間には、供給チャネルが形成されることが好ましい。
【図面の簡単な説明】
【００１８】
【図１】図１は、本考案の一実施形態に係る泡噴出ヘッド装置を示す分解斜視図である。
【図２】図２は、本考案の一実施形態に係る泡噴出ヘッド装置を示す断面図である。
【図３】図３は、本考案の一実施形態に係る泡噴出ヘッド装置を押圧したときの状態を示す断面図である。
【図４】図４は、本考案の一実施形態に係る泡噴出ヘッド装置を押圧したときの状態を示す断面図である。
【図５】図５は、本考案の一実施形態に係る泡噴出ヘッド装置のエアバルブを示す断面図である。
【図６】図６は、本考案の一実施形態に係る泡噴出ヘッド装置の第１のピストンを示す断面図である。
【図７】図７は、本考案の一実施形態に係る泡噴出ヘッド装置のメインコラムを示す断面図である。
【考案を実施するための形態】
【００１９】
以下、本考案の実施形態について図に基づいて説明する。なお、これによって本考案が限定されるものではない。
【００２０】
図１及び図２を参照する。図１は、本考案の一実施形態に係る泡噴出ヘッド装置１００を示す分解斜視図である。図２は、本考案の一実施形態に係る泡噴出ヘッド装置１００を示す断面図である。図１及び図２に示すように、本考案の一実施形態に係る泡噴出ヘッド装置１００は、少なくとも押圧ヘッド１、結合蓋２、網孔部材３、エアバルブ４、第１のピストン５、接続ロッド６、メインコラム７、弾性体８、位置決め環９、第２のピストン１０、バルブ部材１１、シリンダ１２及びパッキン１３から構成される。
【００２１】
押圧ヘッド１は、泡を噴出させる噴出口１０１を有する。網孔部材３は、中空管３３、第１のフィルタ３１及び第２のフィルタ３２を有する。空気及び液体が第１のフィルタ３１及び第２のフィルタ３２を通ると、十分に混合されて泡状に形成される。
【００２２】
図１及び図２に図５を併せて参照する。図５は、本考案の一実施形態に係る泡噴出ヘッド装置１００のエアバルブ４を示す断面図である。図１、図２及び図５に示すように、本考案の一実施形態に係る泡噴出ヘッド装置１００のエアバルブ４は、一端に外吸気溝４０１及び排気チャネル４０２を有し、他端に網孔部材３及び押圧ヘッド１がそれぞれ結合される。図６を参照する。図６は、本考案の一実施形態に係る泡噴出ヘッド装置１００の第１のピストン５を示す断面図である。図６に示すように、第１のピストン５は、エアバルブ４に結合された中空リング体であり、密封バルブ５０１、空気孔５０２及び環状壁５０３を有する。環状壁５０３により外吸気溝４０１が自在に開閉される。図７を参照する。図７は、本考案の一実施形態に係る泡噴出ヘッド装置１００のメインコラム7を示す断面図である。メインコラム７は、中空管状を呈して内吸気溝７０１及び傾斜壁７０２を有する。密封バルブ５０１は、内吸気溝７０１に当接されて内吸気溝７０１の開閉を行うが、その動作については以下で説明する。メインコラム７の一端は、エアバルブ４の外縁と弾性的に結合される。
【００２３】
図１及び図２を再び参照する。図１及び図２に示すように、接続ロッド６は、メインコラム７内に挿設され、錐体６１、杆部６２及び先端部６３を含む。錐体６１の外縁は、傾斜壁７０２の内壁に当接され、傾斜壁７０２とともに噴出チャネル６０１が形成され、錐体６１内には、気液体混合室６０５が形成されている。第２のピストン１０は、中空リング体であり、接続ロッド６及びメインコラム７の一端に結合される。シリンダ１２は、結合蓋２と結合されるとともに、気室１２０１及び液室１２０２を有する。気室１２０１と液室１２０２との間には、位置決め環９が設けられる。この構成により、気室１２０１及び液室１２０２には、密閉されたチャンバがそれぞれ形成される。第１のピストン５は、気室１２０１間で往復運動を行い、第２のピストン１０は、液室１２０２間で往復運動を行う。本実施形態において、気室１２０１は液室１２０２より大きく、第１のピストン５は第２のピストン１０より大きい。また、結合蓋２の内縁には、瓶口と螺合されるネジ山２１が形成され、パッキン１３と瓶口とが気密効果を得ることができる。弾性体８は、メインコラム７の外縁に嵌合され、一端が位置決め環９に当接される。バルブ部材１１は、シリンダ１２の連通口に取り付けられる。
【００２４】
また、接続ロッド６の杆部６２とメインコラム７との間には、第１の間隙６０２が形成されている。第２のピストン１０は、接続ロッド６の一端に結合され、接続ロッド６との間に第２の間隙６０３が形成される。また、接続ロッド６の先端部６３は、第２のピストン１０の一端に突設されて当接環部６０４を有する。当接環部６０４は、第２のピストン１０のストップ縁１００２に弾性的に当接され、ストップ縁１００２との間に供給チャネル１００１が形成される。また、液室１２０２は、バルブ部材１１が収容される汲み取りチャネル１２０４を有する。
【００２５】
図３を参照する。図３に示すように、押圧ヘッド１に力を加えて押圧ヘッド１が第１の下位置Ｓ１まで変位すると、エアバルブ４、メインコラム７及び接続ロッド６が連動し、第１のピストン５及び第２のピストン１０がシリンダ１２の壁面の摩擦力の作用を受け、移動しないように一時的に保持される。メインコラム７が下方へ移動し続ける過程で、当接環部６０４が第２のピストン１０のストップ縁１００２から離れると供給チャネル１００１が徐々に開き、シリンダ１２中の液室１２０２の圧力を接続ロッド６が受けると押圧されて上方へ移動し、錐体６１の外縁と傾斜壁７０２の内壁とにより噴出チャネル６０１が徐々に開く一方、第１の下位置Ｓ１に達するまでエアバルブ４が下方へ変位し、第１のピストン５が静止して外吸気溝４０１により環状壁５０３が徐々に閉じるとともに、密封バルブ５０１により内吸気溝７０１が徐々に開く。
【００２６】
図４を参照する。図４に示すように、押圧ヘッド１が第２の下位置Ｓ２に達するまで継続的に下方へ移動し、第２のピストン１０により液室１２０２中の液体が押圧されると、順次、供給チャネル１００１、第２の間隙６０３、第１の間隙６０２及び噴出チャネル６０１を介して気液体混合室６０５に導入され、気室１２０１内の気体が第１のピストン５により下方へ押圧されてその中の気体が内吸気溝７０１、排気チャネル４０２を介して気液体混合室６０５へ供給され、液体が均等に混合されて網孔部材３の第１のフィルタ３１及び第２のフィルタ３２で泡が発生し、押圧ヘッド１の噴出口１０１から押し出される。
【００２７】
押圧ヘッド１を緩めて開くと、弾性体８の弾性回復力により、第２の下位置Ｓ２から第１の下位置Ｓ１まで押圧ヘッド１が上昇して復位するとともに、メインコラム７、エアバルブ４及び接続ロッド６が一緒に上方へ変位し、第１のピストン５及び第２のピストン１０が同様にシリンダ１２の壁面の摩擦力を受け、移動しないように一時的に保持され、接続ロッド６がメインコラム７により上方へ移動して引っ張られるため、噴出チャネル６０１及び供給チャネル１００１が徐々に閉じるとともに、エアバルブ４及びメインコラム７が上方へ移動し、第１のピストン５が移動しないように保持されて外吸気溝４０１が徐々に開かれ、密封バルブ５０１により内吸気溝７０１が徐々に閉じられる。メインコラム７及び接続ロッド６が元の位置Ｓに達するまで継続的に上方へ移動すると、第１のピストン５及び第２のピストン１０が上方へ移動して気室１２０１及び液室１２０２の体積が増大し、外部の空気が外吸気溝４０１から吸入され、空気孔５０２を介して気室１２０１に溜められる。ボトル（図示せず）中の液体がバルブ部材１１を押し開いて連通口１２０３から液室１２０２へ導入され、次の動作の準備が完了する。
【００２８】
第１のフィルタ３１又は第２のフィルタ３２は、射出成形により製作され、中空管３３の両端に係合するだけで、普通のフィルタ加工が外れる問題が生じることを防ぐことができる。発生する泡がきめ細かくなるように、第１のフィルタ３１及び第２のフィルタ３２の網孔を多角形状にするか、第１のフィルタ３１の孔径を第２のフィルタ３２の孔径より大きくするか等しくし、孔径が大き目の第１のフィルタ３１に液体及び気体を通して第１のフィルタ３１に泡を発生させてから、孔径が小さめの第２のフィルタ３２に通して泡をさらにきめ細かくしてもよい。
【００２９】
本実施形態のバルブ部材１１は、上方へ移動して連通口１２０３を開いたり下方へ移動して連通口１２０３を閉じたりする鋼球でもよい。また、連通口１２０３には、吸入管１４を接続させて、ボトル（図示せず）中の液体を汲み取ってもよい。
【００３０】
メインコラム７には、弾性体８が外嵌され、液体が供給チャネル１００１を出入りした後に開くと、順次、第２の間隙６０３、第１の間隙６０２、噴出チャネル６０１を介して気液体混合室６０５へ流入し、弾性体８に液体が直接接触することを効果的に防ぎ、腐食が発生して錆が生じることを防ぐことができる上、液体が弾性体８により汚染されることを防ぐこともできる。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１        押圧ヘッド
２        結合蓋
３        網孔部材
４        エアバルブ
５        第１のピストン
６        接続ロッド
７        メインコラム
８        弾性体
９        位置決め環
１０      第２のピストン
１１      バルブ部材
１２      シリンダ
１３      パッキン
１４      吸入管
２１      ネジ山
３１      第１のフィルタ
３２      第２のフィルタ
３３      中空管
６１      錐体
６２      杆部
６３      先端部
１００    泡噴出ヘッド装置
１０１    噴出口
４０１    外吸気溝
４０２    排気チャネル
５０１    密封バルブ
５０２    空気孔
５０３    環状壁
６０１    噴出チャネル
６０２    第１の間隙
６０３    第２の間隙
６０４    当接環部
６０５    気液体混合室
７０１    内吸気溝
７０２    傾斜壁
１００１  供給チャネル
１００２  ストップ縁
１２０１  気室
１２０２  液室
１２０３  連通口
１２０４  汲み取りチャネル
Ｓ        元の位置
Ｓ１      第１の下位置
Ｓ２      第２の下位置
【図１】
0003188669.tif 000003
【図２】
0003188669.tif 000004
【図３】
0003188669.tif 000005
【図４】
0003188669.tif 000006
【図５】
0003188669.tif 000007
【図６】
0003188669.tif 000008
【図７】
0003188669.tif 000009